(57)【特許請求の範囲】
【請求項１】
入院中の患者のナースコール子機からのナースコールを受け付けて複数の看護師それぞれが携行する看護師用端末のうち１ないし複数の看護師用端末に対する呼び出しを行ったり、看護師の前記看護師用端末から指定した患者の前記ナースコール子機に対する呼び出しを行ったりするためのナースコール主装置とＰＢＸ（Private  Branch  Exchange）とを有するナースコールシステムにおいて、前記ＰＢＸは、前記ナースコール子機から前記看護師用端末に対する呼び出しに関する呼の履歴情報を前記看護師用端末へのナースコール着信呼の履歴情報として蓄積し、かつ、前記看護師用端末から前記ナースコール子機に対する呼び出しに関する呼の履歴情報を前記看護師用端末からのナースコール発信呼の履歴情報として蓄積するナースコール発着信データベースを備え、  
前記ナースコール発着信データベースに蓄積される前記ナースコール着信呼の履歴情報は、前記ナースコール子機から呼び出した１ないし複数の前記看護師用端末のうちいずれかの看護師用端末が応答した場合には、応答した前記看護師用端末に対する着信呼の履歴情報が、前記ナースコール主装置と前記ＰＢＸとの間を接続する通話トランクの着信応答呼の履歴情報として蓄積され、応答しなかった残りの看護師用端末に対する着信呼の履歴情報それぞれが、それぞれの看護師用端末の呼び出し用に用いる仮想トランクの着信不応答呼の履歴情報として蓄積され、かつ、前記ナースコール子機からの呼び出しに対して前記ナースコール主装置に直接接続されているナースコール親機が応答して、呼び出した１ないし複数の前記看護師用端末の全てが応答しなかった場合には、前記通話トランクを使用していない着信呼の履歴情報が、前記通話トランクの着信不応答呼の履歴情報として蓄積されるとともに、さらに、応答しなかった全ての前記看護師用端末に対する着信呼の履歴情報それぞれが、それぞれの前記仮想トランクの着信不応答呼の履歴情報として蓄積されることを特徴とする記載のナースコールシステム。
【請求項２】
前記ナースコール子機から呼び出そうとした前記看護師用端末が、別の前記ナースコール子機との間または別の前記看護師用端末との間の通話中の状態にあった場合には、通話中の前記看護師用端末に対して、ナースコール着信呼が発生している旨の警告音を出力し、かつ、呼び出そうとした前記看護師用端末が、別の前記看護師用端末との間の通話中の状態にあった場合であって前記ナースコール子機が呼び出しを中止した場合には、前記通話トランクの着信不応答呼の履歴情報として前記ナースコール発着信データベースに蓄積されることを特徴とする請求項１に記載のナースコールシステム。
【請求項３】
前記ナースコール発着信データベースに蓄積される前記ナースコール発信呼の履歴情報は、前記看護師用端末から呼び出した前記ナースコール子機が応答した場合に、発信した前記看護師用端末からの発信呼の履歴情報が、前記通話トランクの発信応答呼の履歴情報として前記ナースコール発着信データベースに蓄積されることを特徴とする請求項１または請求項２に記載のナースコールシステム。
【請求項４】
前記ＰＢＸに、通話料金の集計管理や前記ＰＢＸの稼働状態を管理するログ管理装置をさらに備え、前記ログ管理装置は、前記ナースコール発着信データベースに蓄積された少なくとも前記ナースコール着信呼の履歴情報および前記ナースコール発信呼の履歴情報を基にして、看護師ごと、患者ごとに、時系列的に編集した呼び出し履歴情報を生成するとともに、看護師ごと、患者ごとに、発着信呼の呼種別の単位時間当たりの発生頻度を含む呼び出し統計情報を生成して、生成した前記呼び出し履歴情報および前記呼び出し統計情報を出力することを特徴とする請求項１ないし３のいずれかに記載のナースコールシステム。
【請求項５】
入院中の患者のナースコール子機からのナースコールを受け付けて複数の看護師それぞれが携行する看護師用端末のうち１ないし複数の看護師用端末に対する呼び出しを行ったり、看護師の前記看護師用端末から指定した患者の前記ナースコール子機に対する呼び出しを行ったりするためのナースコール主装置とＰＢＸ（Private  Branch  Exchange）とを有するナースコールシステムにおけるナースコール呼び出しに関する履歴情報を収集して管理するナースコール発着信履歴管理方法であって、前記ＰＢＸは、前記ナースコール子機から前記看護師用端末に対する呼び出しに関する呼の履歴情報を前記看護師用端末へのナースコール着信呼の履歴情報として蓄積し、かつ、前記看護師用端末から前記ナースコール子機に対する呼び出しに関する呼の履歴情報を前記看護師用端末からのナースコール発信呼の履歴情報として蓄積するナースコール発着信データベースを有しており、  
前記ナースコール発着信データベースに蓄積される前記ナースコール着信呼の履歴情報は、前記ナースコール子機から呼び出した１ないし複数の前記看護師用端末のうちいずれかの看護師用端末が応答した場合には、応答した前記看護師用端末に対する着信呼の履歴情報が、前記ナースコール主装置と前記ＰＢＸとの間を接続する通話トランクの着信応答呼の履歴情報として蓄積され、応答しなかった残りの看護師用端末に対する着信呼の履歴情報それぞれが、それぞれの看護師用端末の呼び出し用に用いる仮想トランクの着信不応答呼の履歴情報として蓄積され、かつ、前記ナースコール子機からの呼び出しに対して前記ナースコール主装置に直接接続されているナースコール親機が応答して、呼び出した１ないし複数の前記看護師用端末の全てが応答しなかった場合には、前記通話トランクを使用していない着信呼の履歴情報が、前記通話トランクの着信不応答呼の履歴情報として蓄積されるとともに、さらに、応答しなかった全ての前記看護師用端末に対する着信呼の履歴情報それぞれが、それぞれの前記仮想トランクの着信不応答呼の履歴情報として蓄積されることを特徴とするナースコール発着信履歴管理方法。
【請求項６】
前記ナースコール子機から呼び出そうとした前記看護師用端末が、別の前記ナースコール子機との間または別の前記看護師用端末との間の通話中の状態にあった場合には、通話中の前記看護師用端末に対して、ナースコール着信呼が発生している旨の警告音を出力し、かつ、呼び出そうとした前記看護師用端末が、別の前記看護師用端末との間の通話中の状態にあった場合であって前記ナースコール子機が呼び出しを中止した場合には、前記通話トランクの着信不応答呼の履歴情報として前記ナースコール発着信データベースに蓄積されることを特徴とする請求項５に記載のナースコール発着信履歴管理方法。
【請求項７】
前記ナースコール発着信データベースに蓄積される前記ナースコール発信呼の履歴情報は、前記看護師用端末から呼び出した前記ナースコール子機が応答した場合に、発信した前記看護師用端末からの発信呼の履歴情報が、前記通話トランクの発信応答呼の履歴情報として前記ナースコール発着信データベースに蓄積されることを特徴とする請求項５または６に記載のナースコール発着信履歴管理方法。
【請求項８】
前記ＰＢＸに、通話料金の集計管理や前記ＰＢＸの稼働状態を管理するログ管理装置をさらに備え、前記ログ管理装置は、前記ナースコール発着信データベースに蓄積された少なくとも前記ナースコール着信呼の履歴情報および前記ナースコール発信呼の履歴情報を基にして、看護師ごと、患者ごとに、時系列的に編集した呼び出し履歴情報を生成するとともに、看護師ごと、患者ごとに、発着信呼の呼種別の単位時間当たりの発生頻度を含む呼び出し統計情報を生成して、生成した前記呼び出し履歴情報および前記呼び出し統計情報を出力することを特徴とする請求項５ないし７のいずれかに記載のナースコール発着信履歴管理方法。
【請求項９】
請求項５ないし８のいずれかに記載のナースコール発着信履歴管理方法を、コンピュータによって実行可能なプログラムとして実施していることを特徴とするナースコール発着信履歴管理プログラム。
【発明の詳細な説明】
【技術分野】
【０００１】
本発明は、ナースコールシステム、ナースコール発着信履歴管理方法およびナースコール発着信履歴管理プログラムに関する。
【背景技術】
【０００２】
従来より、病院等を含む医療機関においては、例えば特許文献１の特開２００９−０３３５５９号公報「ナースコールシステム」等に記載されているように、各看護師が看護師用端末として携行する携帯端末例えばＰＨＳ（Personal  Handy-phone  System）端末を収容するＰＢＸ（Private  Branch  Exchange）と入院している患者が使用する各ナースコール子機を収容するナースコール主装置とを連動させた「ナースコールシステム」が開示されている。該ナースコールシステムにおいては、患者が入院している病室に設置されたナースコール子機からの呼び出し時に、指定された看護師の看護師用端末例えばＰＨＳ端末を呼び出して、応答させることができる。また、看護師の看護師用端末例えばＰＨＳ端末から指定した患者のナースコール子機を呼び出して、看護師と患者との間の通話を行うこともできる。
【先行技術文献】
【特許文献】
【０００３】
【特許文献１】特開２００９−０３３５５９号公報（第３−５頁）
【発明の開示】
【発明が解決しようとする課題】
【０００４】
ナースコールシステムを設置している病院等を含む医療機関においては、患者のナースコール子機からの呼び出し頻度および看護師の看護師用端末からの呼び出し頻度等を調査することにより、本ナースコールシステムを設置した病院等の医療機関の管理者が、患者への看護対応の充足度、看護師への負荷の集中度等、現状の看護体制の問題の有無を検討したいという要望が強くなってきている。
【０００５】
しかしながら、前記特許文献１に記載のような従来のナースコールシステムにおいては、管理者は、患者のナースコール子機および看護師の看護師用端末の発着信状況すなわちナースコール呼び出しに関する呼び出し頻度や使用状況等を把握することができない。
【０００６】
（本発明の目的）
本発明は、かかる事情に鑑みてなされたものであり、患者のナースコール子機からの看護師の看護師用端末に対する呼び出し呼に関する履歴および看護師の看護師用端末からの患者のナースコール子機に対する呼び出し呼に関する履歴をナースコール発着信履歴として収集して、出力することが可能なナースコールシステム、ナースコール発着信履歴管理方法およびナースコール発着信履歴管理プログラムを提供することを、その目的としている。
【課題を解決するための手段】
【０００７】
前述の課題を解決するため、本発明によるナースコールシステム、ナースコール発着信履歴管理方法およびナースコール発着信履歴管理プログラムは、主に、次のような特徴的な構成を採用している。
【０００８】
（１）本発明によるナースコールシステムは、入院中の患者のナースコール子機からのナースコールを受け付けて複数の看護師それぞれが携行する看護師用端末のうち１ないし複数の看護師用端末に対する呼び出しを行ったり、看護師の前記看護師用端末から指定した患者の前記ナースコール子機に対する呼び出しを行ったりするためのナースコール主装置とＰＢＸ（Private  Branch  Exchange）とを有するナースコールシステムにおいて、前記ＰＢＸは、前記ナースコール子機から前記看護師用端末に対する呼び出しに関する呼の履歴情報を前記看護師用端末へのナースコール着信呼の履歴情報として蓄積し、かつ、前記看護師用端末から前記ナースコール子機に対する呼び出しに関する呼の履歴情報を前記看護師用端末からのナースコール発信呼の履歴情報として蓄積するナースコール発着信データベースを備えていることを特徴とする。
【０００９】
（２）本発明によるナースコール発着信履歴管理方法は、入院中の患者のナースコール子機からのナースコールを受け付けて複数の看護師それぞれが携行する看護師用端末のうち１ないし複数の看護師用端末に対する呼び出しを行ったり、看護師の前記看護師用端末から指定した患者の前記ナースコール子機に対する呼び出しを行ったりするためのナースコール主装置とＰＢＸ（Private  Branch  Exchange）とを有するナースコールシステムにおけるナースコール呼び出しに関する履歴情報を収集して管理するナースコール発着信履歴管理方法であって、前記ＰＢＸは、前記ナースコール子機から前記看護師用端末に対する呼び出しに関する呼の履歴情報を前記看護師用端末へのナースコール着信呼の履歴情報として蓄積し、かつ、前記看護師用端末から前記ナースコール子機に対する呼び出しに関する呼の履歴情報を前記看護師用端末からのナースコール発信呼の履歴情報として蓄積するナースコール発着信データベースを有していることを特徴とする。
【００１０】
（３）本発明によるナースコール発着信履歴管理プログラムは、少なくとも前記（２）に記載のナースコール発着信履歴管理方法を、コンピュータによって実行可能なプログラムとして実施していることを特徴とする。
【発明の効果】
【００１１】
本発明のナースコールシステム、ナースコール発着信履歴管理方法およびナースコール発着信履歴管理プログラムによれば、以下のような効果を奏することができる。
【００１２】
すなわち、ナースコールシステムの管理者が、ナースコール発着信データベースに蓄積されているナースコールに関する発着信履歴情報や該発着信履歴情報を基にして生成した呼び出し履歴情報や呼び出し統計情報を参照することによって、
（１）各看護師が携行する看護師用端末例えばＰＨＳ端末に着信する単位時間当たりの呼び出し頻度
（２）各患者が使用するナースコール子機からの単位時間当たりの呼び出し発生頻度
（３）各患者からのナースコール呼び出しに対する看護師の応答状況
を把握することができるようになるので、看護師ごとの業務集中度を踏まえて、患者ごとの看護師の割り当て等を検討する際の有効な情報を取得することができ、病院等の医療機関におけるサービス性のより一層の向上を図ることができる。
【図面の簡単な説明】
【００１３】
【図１】本発明によるナースコールシステムのシステム構成の一例を示すシステム構成図である。
【図２】図１に示したナースコールシステムの動作イメージの一例を説明するための説明図である。
【図３】図１のナースコールシステムにおいて、或る患者のナースコール子機から３台のＰＨＳ端末を一斉に呼び出した際に、いずれかのＰＨＳ端末が応答した場合のナースコール着信呼の履歴情報について説明する説明図である。
【図４】図１のナースコールシステムにおいて、或る患者のナースコール子機から３台のＰＨＳ端末を一斉に呼び出した際に、ナースコール親機が応答して、３台全てのＰＨＳ端末が応答しなかった場合のナースコール着信呼の履歴情報について説明する説明図である。
【発明を実施するための形態】
【００１４】
以下、本発明によるナースコールシステム、ナースコール発着信履歴管理方法およびナースコール発着信履歴管理プログラムの好適な実施形態について添付図を参照して説明する。なお、以下の説明においては、本発明によるナースコールシステムおよびナースコール発着信履歴管理方法について説明するが、かかるナースコール発着信履歴管理方法をコンピュータにより実行可能なナースコール発着信履歴管理プログラムとして実施するようにしても良いし、あるいは、ナースコール発着信履歴管理プログラムをコンピュータにより読み取り可能な記録媒体に記録するようにしても良いことは言うまでもない。
【００１５】
（本発明の特徴）
本発明の実施形態の説明に先立って、本発明の特徴についてその概要をまず説明する。本発明は、病院等の医療機関に設置されたナースコールシステムにおいて、少なくとも、患者のナースコール子機から看護師の看護師用端末（例えばＰＨＳ端末）に対する「ナースコール呼び出し」（ナースコール着信呼）および看護師の看護師用端末（例えばＰＨＳ端末）から患者のナースコール子機に対する「ナースコール子機への発信」（ナースコール発信呼）のそれぞれの履歴をナースコール発着信履歴として収集・集計し、集計した結果を画面表示等により出力することによって、本ナースコールシステムを設置した病院等の医療機関の管理者が、各患者からの看護師への呼び出し頻度、各看護師から患者への呼び出し頻度、看護師の看護師用端末（例えばＰＨＳ端末）の使用状況および応答状況を把握することができるようにすることを、主要な特徴としている。
【００１６】
つまり、本発明は、ナースコール子機と看護師用端末との間のナースコール用発着信呼の発生状況を収集して、出力するために、従来のナースコールシステムにおいて、ナースコール子機、看護師用端末の通話課金を行うための装置として備えている従来のログ管理装置を用い、かつ、ナースコール子機、看護師用端末に関する呼制御を行うＰＢＸ（例えば、ＰＢＸ機能を有するコミュニケーションサーバ）から通話料金算出用のデータをログデータとしてログ管理装置に転送する従来のＳＭＤＲ（Station  Message  Detail  Record：通話料金管理情報）出力機能を利用して、ナースコール子機と看護師用端末との間のナースコール用発着信呼の発生履歴情報をログデータとしてＰＢＸからログ管理装置へ転送することを特徴としており、以下の動作を行うことを可能にしている。
【００１７】
（１）患者のナースコール子機から看護師の看護師用端末に対する呼び出しに関する情報を「ナースコール着信情報」としてＰＢＸからログ管理装置に対して転送する。
（２）看護師のＰＨＳ端末から患者のナースコール子機に対する呼び出しに関する情報を「ナースコール発信情報」としてＰＢＸからログ管理装置に対して転送する。
（３）各看護師のＰＨＳ端末間の内線通話に関する情報を「ナースコール内線通話情報」としてＰＢＸからログ管理装置に対して転送する。
（４）ログ管理装置はＰＢＸから転送されてきた各情報を基にして、看護師ごと、患者ごとに、ナースコール発着信呼の履歴を示すナースコール発着信履歴情報、ナースコール発着信呼の発生頻度等を示すナースコール発着信統計情報、看護師間の通話履歴を示す看護師間通話履歴情報、看護師間の通話頻度等を示す看護師間通話統計情報のそれぞれを、呼び出し履歴情報、呼び出し統計情報として集計して、画面表示等により出力して、管理者に通知する。
【００１８】
（実施形態の構成例）
次に、本発明によるナースコールシステムのシステム構成の一例について図１のシステム構成図を用いて説明する。図１は、本発明によるナースコールシステムのシステム構成の一例を示すシステム構成図である。図１に示すナースコールシステムは、病院等の医療機関内に配置されるシステムであり、ナースコール子機１１０、看護師用端末１２０、ナースコール親機１３０、ナースコール主装置１４０、ＰＢＸ（Private  Branch  Exchange）１５０、ログ管理装置１６０を少なくとも含んで構成される。ここで、ナースコール子機１１０はナースコール子機１１０ａおよび１１０ｂの総称であり、看護師用端末１２０は看護師用端末１２０ａ，１２０ｂおよび１２０ｃの総称である。
【００１９】
ナースコール子機１１０は、各患者それぞれが看護師と通話するために使用する端末であり、図１には、患者ａが使用するナースコール子機１１０ａ、患者ｂが使用するナースコール子機１１０ｂの２台がナースコール主装置１４０に接続されている例を示している。また、看護師用端末１２０は、各看護師それぞれが各患者と通話するために使用する端末であり、図１には、看護師ａが使用する看護師用端末１２０ａ、看護師ｂが使用する看護師用端末１２０ｂ、看護師ｃが使用する看護師用端末１２０ｃの３台がＰＢＸ１５０に無線回線によって接続されている例を示している。各看護師が携行する看護師用端末１２０は、例えば、ＰＨＳ（Personal  Handy-phone  System）通信規格に準拠したＰＨＳ端末によって構成することができる。
【００２０】
ナースコール親機１３０は、ナースコール主装置１４０に直接接続されており、ＰＢＸ１５０を介することなく、ナースコール子機１１０との間で直接通話を行うことが可能な端末である。ナースコール主装置１４０は、各患者それぞれのナースコール子機１１０（１１０ａ、１１０ｂ）およびナースコール親機１３０の動作を制御する装置であり、ＰＢＸ１５０と接続され、ＰＢＸ１５０と連携してナースコール発着信呼に関する制御を行う。
【００２１】
ＰＢＸ１５０は、ナースコール主装置１４０との間を通話トランクによって接続し、かつ、各看護師が携行する看護師用端末１２０との間を無線回線で接続し、ナースコール子機１１０から指定された看護師用端末１２０との間の通信回線の接続・切断を行ったり、看護師用端末１２０から指定されたナースコール子機１１０との間の通信回線の接続・切断を行ったりするナースコール用の発着信呼の制御を行う装置である。なお、ＰＢＸ１５０は、インターネット用の通信プロトコルであるＩＰ（Internet  Protocol）を用いて呼制御を行うコミュニケーションサーバ（Communication  Server）によって構成されていても良い。
【００２２】
ＰＢＸ１５０がナースコールに関する発着信呼を扱う場合のナースコール主装置１４０との間を接続する通話トランクとして、ＢＲＩ（Basic  Rate  Interface：基本速度インタフェース）トランクを用い、無線回線により看護師用端末１２０との間を接続するトランクとして、ナースコール用仮想トランクを用いて構成される。
【００２３】
また、ＰＢＸ１５０内には、ナースコール用の発着信呼に関する履歴情報を蓄積するためのデータベースとしてナースコール発着信ＤＢ１５０ａを備えている。ナースコール発着信ＤＢ１５０ａには、ナースコール用の発着信呼に関する履歴情報として、ナースコール子機１１０から看護師用端末１２０へのナースコール着信呼および看護師用端末１２０からナースコール子機１１０へのナースコール発信呼のみならず、看護師用端末１２０間の通話呼に関する履歴情報も蓄積されている。ここで、ナースコール発着信ＤＢ１５０ａは、ナースコール用の発着信頻度に応じた適当な読み書き速度でデータを読み書きすることができる記録媒体であれば、如何なる媒体であっても差し支えないが、例えばＳＤＲＡＭ(Synchronous  Dynamic  Random  Access  Memory)またはＳＲＡＭ(Static  Random  Access  Memory)を用いて構成することができる。
【００２４】
ログ管理装置１６０は、各ナースコール子機１１０や各看護師用端末１２０の通話料金、および、ＰＢＸ１５０の稼働状態を管理する装置であり、ＰＢＸ１５０からあらかじめ定めた周期ごとに定期的に転送されてくるログデータを受け取って編集・集計して、画面表示等により出力して、管理者に通知する。なお、図１に示すナースコールシステムにおいては、ＰＢＸ１５０から転送されてくるログデータには、ＰＢＸ１５０内のナースコール発着信ＤＢ１５０ａに蓄積されているナースコール用の発着信呼（すなわち、ナースコール子機１１０から看護師用端末１２０へのナースコール着信呼、看護師用端末１２０からナースコール子機１１０へのナースコール発信呼、および、看護師用端末１２０間の通話呼）に関する履歴情報も含まれている。
【００２５】
ここで、ＰＢＸ１５０からログ管理装置１６０に対してナースコール用の発着信呼に関する履歴情報を転送するとき、ナースコール子機１１０や看護師用端末１２０の通話料金算出用のデータをＰＢＸ１５０から出力する従来のＳＭＤＲ（Station  Message  Detail  Record：通話料金管理レコード）情報出力機能と同一の機能を利用して、ＰＢＸ１５０からログ管理装置１６０に対して出力するようにしても良い。本実施形態においては、ＰＢＸ１５０は、ＳＭＤＲ情報出力機能を用いて、ナースコール用の発着信呼に関する履歴情報を、ＳＭＤＲ情報として、ログ管理装置１６０に転送する場合について説明している。
【００２６】
（実施形態の動作の説明）
次に、図１のナースコールシステムの動作について、その一例を、図２〜図４に示す各図面を参照しながら順次説明する。なお、以下の動作の説明においては、各看護師が携行する看護師用端末１２０ａ、１２０ｂ、１２０ｃとして、ＰＨＳ端末１２０ａ、１２０ｂ、１２０ｃを用い、ＰＢＸ１５０としてＩＰ通信を行うコミュニケーションサーバを用いる場合を示しており、また、ＰＢＸ１５０からログ管理装置１６０に対してナースコール用の発着信情報を転送するための出力機能として、ＳＭＤＲ情報出力機能を用いる場合を示している。
【００２７】
図２は、図１に示したナースコールシステムの動作イメージの一例を説明するための説明図である。図２に示すように、図１のナースコールシステムにおいては、ナースコールに関する通信呼として、次の３つの呼種が存在し、ＰＢＸ１５０は、それぞれの呼に関する履歴情報をナースコール発着信ＤＢ１５０ａに蓄積して、あらかじめ定めた周期ごとに、定期的に、ＳＭＤＲ出力機能を利用して、その履歴情報をログ管理装置１６０に対して転送するようにしている。
【００２８】
（１）ナースコール着信呼（ナースコール呼び出し呼）
患者のナースコール子機１１０例えばナースコール子機１１０ａからナースコール主装置１４０、ＰＢＸ１５０を経由して、各看護師が携行する看護師用端末であるＰＨＳ端末１２０ａ、１２０ｂ、１２０ｃを一斉に呼び出すための呼
【００２９】
（２）ナースコール発信呼（ナースコール子機１１０への発信呼）
各看護師が携行する看護師用端末であるＰＨＳ端末１２０例えばＰＨＳ端末１２０ｃからＰＢＸ１５０、ナースコール主装置１４０を経由して、患者のナースコール子機１１０例えばナースコール子機１１０ｂを呼び出すための呼
【００３０】
（３）内線通話呼
各看護師が携行する看護師用端末であるＰＨＳ端末１２０間例えばＰＨＳ端末１２０ａとＰＨＳ端末１２０ｂとの間の内線通話呼
【００３１】
ログ管理装置１６０は、ＰＢＸ１５０からＳＭＤＲ情報出力機能を利用して転送されてきたナースコール用の発着信呼に関する履歴情報を受信すると、ナースコール発着信状況を示すナースコール用の呼び出し履歴情報や呼び出し統計情報を生成して、ログ管理装置１６０の表示部に画面表示したり、印刷部にプリントアウトしたりして、ナースコールシステムの管理者に対して通知する。すなわち、ログ管理装置１６０は、転送されてきたナースコール用の発着信呼に関する履歴情報を解析して、ナースコール子機１１０からのナースコールが看護師のＰＨＳ端末１２０に着信する単位時間当たりのナースコール着信呼発生頻度、看護師のＰＨＳ端末１２０からナースコール子機１１０に対して発信する単位時間当たりのナースコール発信呼発生頻度、看護師のＰＨＳ端末１２０間で通話を行う内線通話呼発生頻度、ナースコール着信呼に対していずれかの看護師のＰＨＳ端末１２０が応答して通話状態に移行したことを示す着信応答状況、ナースコール発信呼に対して患者のナースコール子機１１０が応答して通話状態に移行したことを示す発信応答状況等に関するナースコール発着信情報を生成する。
【００３２】
しかる後、生成したナースコール発着信情報を、ログ管理装置１６０の表示部に画面表示したり、印刷部にプリントアウトしたりして、ナースコールシステムの管理者に対して通知する。ナースコールシステムの管理者は、該ナースコール発着信情報を確認することにより、各患者から看護師のＰＨＳ端末１２０への呼び出し発生頻度、各看護師から患者のナースコール子機１１０への呼び出し発生頻度、各看護師の応答状況等を把握することができ、看護体制が十分であるか否かを検討することができる。つまり、管理者は、各看護師ごとの業務集中度を踏まえて、各患者ごとの看護師の割り当て状況等を検討する際の有効な情報を取得することができ、医療機関としてのサービス性のより一層の向上を図ることができる。
【００３３】
次に、ＰＢＸ１５０において、ナースコール発着信ＤＢ１５０ａに蓄積されて、ログ管理装置１６０に対してＳＭＤＲ情報出力機能によりＳＭＤＲ情報として定期的に転送されるナースコール用の発着信呼に関する履歴情報の詳細について、さらに説明する。
【００３４】
（１）ナースコール着信呼に関する履歴情報
まず、ナースコール着信呼すなわちナースコール子機１１０からＰＨＳ端末１２０に対する呼び出し呼に関する履歴情報について説明する。一般に、ナースコール子機１１０がＰＨＳ端末１２０に対してナースコールを行う場合、ナースコール主装置１４０とＰＢＸ１５０とを接続するための「通話トランク（ＢＲＩトランク：Basic  Rate  Interface（基本速度インタフェース）トランク」と、ＰＢＸ１５０から各ＰＨＳ端末１２０ａ、１２０ｂ、１２０ｃそれぞれを、無線回線を介して呼び出すためのナースコール用「仮想トランク」とを使用して、呼び出し経路が設定される。
【００３５】
そして、或る１つのナースコール呼び出しにおいて、複数のＰＨＳ端末１２０を一斉に呼び出した際に、いずれかの看護師のＰＨＳ端末１２０が応答した場合には、ＰＢＸ１５０は、各ＰＨＳ端末１２０ごとに、「通話トランク（ＢＲＩトランク）」の着信応答呼、または、着信不応答呼のいずれかの履歴情報をナースコール発着信ＤＢ１５０ａに蓄積して、ＳＭＤＲ情報としてログ管理装置１６０に対して出力することができる。ここで、各ＰＨＳ端末１２０の不応答情報については、「仮想トランク」ごとに着信不応答呼の履歴情報をナースコール発着信ＤＢ１５０ａに蓄積して、ＳＭＤＲ情報としてログ管理装置１６０に対して出力する。
【００３６】
すなわち、或るナースコール子機１１０から、複数のＰＨＳ端末１２０を一斉に呼び出した際に、複数のＰＨＳ端末１２０のうちいずれかのＰＨＳ端末１２０が応答した場合、応答したＰＨＳ端末１２０に関するナースコール着信呼の履歴情報は、「通話トランク（ＢＲＩトランク）の着信応答呼」としてナースコール発着信ＤＢ１５０ａに蓄積され、応答しなかったその他のＰＨＳ端末１２０に関するナースコール着信呼の履歴情報は、「仮想トランクの着信不応答呼」としてナースコール発着信ＤＢ１５０ａに蓄積されて、ＳＭＤＲ情報としてログ管理装置１６０に対して出力される。
【００３７】
「着信応答呼」の履歴情報および「着信不応答呼」の履歴情報の一例を次の表１および表２にそれぞれ示す。
【００３８】
【表１】
0005429916.tif 000002
【００３９】
【表２】
0005429916.tif 000003
【００４０】
或る患者のナースコール子機１１０からのナースコール呼び出し時に、３台のＰＨＳ端末１２０を一斉に呼び出した場合のナースコール着信呼の履歴情報について、一例として、図３の説明図を用いてさらに説明する。図３は、図１のナースコールシステムにおいて、或る患者のナースコール子機１１０から３台のＰＨＳ端末１２０を一斉に呼び出した際に、いずれかのＰＨＳ端末１２０が応答した場合のナースコール着信呼の履歴情報について説明する説明図である。
【００４１】
なお、図３の説明図は、ナースコール子機１１０として患者ａのナースコール子機１１０ａから３人の看護師それぞれが携行するＰＨＳ端末１２０ａ、１２０ｂ、１２０ｃそれぞれを一斉に呼び出した場合に、ＰＨＳ端末１２０ｂが応答して、発信元のナースコール子機１１０ａとの通話状態に移行し、ＰＨＳ端末１２０ｂ以外の残りのＰＨＳ端末１２０ａ、１２０ｃは、ＰＨＳ端末１２０ｂが先に応答しているので、着信動作を解除して、着信鳴動を停止させる場合を示している。
【００４２】
図３の説明図に示す例において、応答したＰＨＳ端末１２０ｂに関するナースコール用発着信履歴情報としては、通話トランク（ＢＲＩトランク）を用いた通話状態に移行した呼である旨を示す「着信応答呼（通話トランク）」の情報がナースコール発着信ＤＢ１５０ａに蓄積されて、ＳＭＤＲ情報としてログ管理装置１６０に対して出力される。一方、着信動作を停止した残りのＰＨＳ端末１２０ａ、１２０ｃは、ナースコール用「仮想トランク」を介した呼び出し呼に関する応答が得られなかった旨を示す「着信不応答呼（仮想トランク）」の情報がそれぞれナースコール発着信ＤＢ１５０ａに蓄積されて、ＳＭＤＲ情報としてログ管理装置１６０に対してそれぞれ出力される。したがって、かかる場合には、ログ管理装置１６０に対して出力されるＳＭＤＲ情報としては、１個の「着信応答呼（通話トランク）」の情報、２個の「着信不応答呼（仮想トランク）」の情報の合計３個の履歴情報になる。
【００４３】
一方、或る１つのナースコール呼び出しにおいて、複数のＰＨＳ端末１２０を一斉に呼び出した際に、いずれの看護師のＰＨＳ端末１２０も応答することなく、ナースコール親機１３０が応答した場合には、全てのＰＨＳ端末１２０のナースコール着信呼について、ナースコール用「仮想トランク」を介した呼び出し呼に関する応答が得られなかった旨を示す「仮想トランクの着信不応答呼」の情報をそれぞれナースコール発着信ＤＢ１５０ａに蓄積して、ＳＭＤＲ情報としてログ管理装置１６０に対してそれぞれ出力するのみならず、さらに、ナースコール子機１１０がナースコール主装置１４０に収容されているナースコール親機１３０との通話状態に移行した場合であって、通話トランク（ＢＲＩトランク）を用いた通話状態には移行していない旨を示す「通話トランクの着信不応答呼」の情報をもナースコール発着信ＤＢ１５０ａに蓄積して、ＳＭＤＲ情報としてログ管理装置１６０に対して出力する。
【００４４】
「通話トランクの着信不応答呼」の履歴情報の一例を次の表３に示す。なお、全てのＰＨＳ端末１２０に関する「仮想トランクの着信不応答呼」の履歴情報それぞれについては、「着信不応答呼」の一例として表２に示した情報と同じ情報からなっている。
【００４５】
【表３】
0005429916.tif 000004
【００４６】
或る患者のナースコール子機１１０から３台のＰＨＳ端末１２０を一斉に呼び出した際に、ナースコール親機１３０が応答して、３台全てのＰＨＳ端末１２０が応答しなかった場合のナースコール着信呼の履歴情報について、一例として、図４の説明図を用いてさらに説明する。図４は、図１のナースコールシステムにおいて、或る患者のナースコール子機１１０から３台のＰＨＳ端末１２０を一斉に呼び出した際に、ナースコール親機１３０が応答して、３台全てのＰＨＳ端末１２０が応答しなかった場合のナースコール着信呼の履歴情報について説明する説明図である。
【００４７】
つまり、図４の説明図は、ナースコール子機１１０として患者ａのナースコール子機１１０ａから３人の看護師それぞれが携行するＰＨＳ端末１２０ａ、１２０ｂ、１２０ｃそれぞれを一斉に呼び出した場合に、ナースコール主装置１４０に直接接続されているナースコール親機１３０が応答して、発信元のナースコール子機１１０ａとの通話状態に移行し、３台全てのＰＨＳ端末１２０ａ、１２０ｂ、１２０ｃは、ナースコール親機１３０が先に応答しているので、着信動作を解除して、着信鳴動を停止させる場合を示している。
【００４８】
図４の説明図に示す例において、着信動作を停止した３台全てのＰＨＳ端末１２０ａ、１２０ｂ、１２０ｃに関するナースコール用発着信履歴情報としては、ナースコール用「仮想トランク」を介した呼び出し呼に関する応答が得られなかった旨を示す「着信不応答呼（仮想トランク）」の情報がそれぞれナースコール発着信ＤＢ１５０ａに蓄積されて、ＳＭＤＲ情報としてログ管理装置１６０に対してそれぞれ出力される。
【００４９】
さらに、ナースコール呼び出しを行ったナースコール子機１１０ａは、ナースコール親機１３０との通話状態に移行しており、通話トランク（ＢＲＩトランク）を用いた通話状態には移行していない着信呼である旨を示す「ナースコール呼び出し着信不応答呼（通話トランク）」の情報がナースコール発着信ＤＢ１５０ａに蓄積されて、ＳＭＤＲ情報としてログ管理装置１６０に対して出力される。したがって、かかる場合には、ログ管理装置１６０に対して出力されるＳＭＤＲ情報としては、３個の「着信不応答呼（仮想トランク）」の情報、１個の「着信不応答呼（通話トランク）」の情報の合計４個の履歴情報になる。
【００５０】
なお、或るナースコール子機１１０と通話中の状態にあるＰＨＳ端末１２０に対して、別のナースコール子機１１０からのナースコール用呼び出しが発生した場合、通話中のＰＨＳ端末１２０に対して、新たなナースコール着信呼が発生している旨を示す警告音を出力する。そして、該警告音の出力中に、新たなナースコール用呼び出しを行った別のナースコール子機１１０がナースコール呼び出しを中止した場合、着信不応答呼としての履歴情報をナースコール発着信ＤＢ１５０ａに蓄積する動作を行う必要はなく、ＳＭＤＲ情報としてログ管理装置１６０に対して出力することもない。
【００５１】
一方、別のＰＨＳ端末１２０との間の内線通話中の状態にあるＰＨＳ端末１２０に対して、ナースコール子機１１０からのナースコール用呼び出しが発生した場合には、通話中のＰＨＳ端末１２０に対して、ナースコール着信呼が発生している旨を示す警告音を出力する。そして、該警告音の出力中に、ナースコール用呼び出しを行ったナースコール子機１１０がナースコール呼び出しを中止した場合、ＰＨＳ端末１２０に対する「仮想トランク」を利用した呼び出し動作は行っていないので、「仮想トランクの着信不応答呼」ではなく、「通話トランク（ＢＲＩトランク）の着信不応答呼」としての履歴情報をナースコール発着信ＤＢ１５０ａに蓄積する動作を行い、ＳＭＤＲ情報としてログ管理装置１６０に対して出力する。
【００５２】
また、ナースコール子機１１０との通話中以外のダイヤル中等の着信不可能な状態にあるＰＨＳ端末１２０に対して、ナースコール子機１１０からのナースコール用呼び出しが発生した場合にも、ナースコール用呼び出しを行ったナースコール子機１１０がナースコール呼び出しを中止した場合、「仮想トランクの着信不応答呼」ではなく、「通話トランク（ＢＲＩトランク）の着信不応答呼」としての履歴情報をナースコール発着信ＤＢ１５０ａに蓄積する動作を行い、ＳＭＤＲ情報としてログ管理装置１６０に対して出力する。
【００５３】
（２）ナースコール発信呼に関する履歴情報
次に、ナースコール発信呼すなわちＰＨＳ端末１２０からナースコール子機１１０に対する呼び出し呼に関する履歴情報について説明する。一般に、ＰＨＳ端末１２０からナースコール子機１１０に対して呼び出しを行う場合、ＰＨＳ端末１２０から無線回線を介してＰＢＸ１５０に接続するためのナースコール用「仮想トランク」と、ＰＢＸ１５０とナースコール主装置１４０とを接続するための「通話トランク（ＢＲＩトランク：Basic  Rate  Interface（基本速度インタフェース）トランク」とを使用して、呼び出し経路が設定される。
【００５４】
そして、或るＰＨＳ端末１２０から指定したナースコール子機１１０を呼び出した際に、呼び出されたナースコール子機１１０が応答した場合、ＰＢＸ１５０は、「通話トランク（ＢＲＩトランク）」の発信応答呼の履歴情報をナースコール発着信ＤＢ１５０ａに蓄積して、ＳＭＤＲ情報としてログ管理装置１６０に対して出力することができる。
【００５５】
すなわち、或るＰＨＳ端末１２０から、いずれかの指定したナースコール子機１１０を呼び出した際に、呼び出されたナースコール子機１１０が応答した場合、発信したＰＨＳ端末１２０に関するナースコール発信呼の履歴情報は、「発信応答呼」としてナースコール発着信ＤＢ１５０ａに蓄積されて、ＳＭＤＲ情報としてログ管理装置１６０に対して出力される。「発信応答呼」の履歴情報の一例を次の表４に示す。
【００５６】
【表４】
0005429916.tif 000005
【００５７】
なお、ＰＨＳ端末１２０からナースコール子機１１０を呼び出した以降において、呼び出されたナースコール子機１１０が使用中の状態や電源ＯＦＦの状態の場合であって、そのナースコール子機１１０から応答することができなくて、発信したＰＨＳ端末１２０が復旧した場合、あるいは、呼び出されたナースコール子機１１０が空き状態の場合であっても、呼び出されたナースコール子機１１０が応答する前に、発信したＰＨＳ端末１２０が復旧した場合には、発信途中放棄としてその履歴情報をナースコール発着信ＤＢ１５０ａに蓄積する必要はなく、ＰＨＳ端末１２０の発信途中放棄に関する履歴情報をＳＭＤＲ情報としてログ管理装置１６０に対して出力することはない。
【００５８】
（３）内線通話呼に関する履歴情報
次に、内線通話呼すなわちＰＨＳ端末１２０同士の通話呼に関する履歴情報について説明する。各看護師が携行する看護師用端末であるＰＨＳ端末１２０間の内線通話呼例えばＰＨＳ端末１２０ａとＰＨＳ端末１２０ｂとの間の内線通話呼については、図２に示したように、ＰＢＸ１５０の仮想トランクを介して送受信情報が転送される無線回線の経路が利用される。或る看護師のＰＨＳ端末１２０ａから指定した別の看護師のＰＨＳ端末１２０ｂを呼び出して、呼び出されたＰＨＳ端末１２０ｂが応答して通話状態に移行した場合に、ＰＢＸ１５０は、一般のＰＨＳ端末における内線通話呼の場合と同様に、ＰＨＳ端末１２０ａと１２０ｂとの間の通話呼をナースコール用の内線通話呼の履歴情報としてナースコール発着信ＤＢ１５０ａに蓄積して、ＳＭＤＲ情報としてログ管理装置１６０に対して出力する。
【００５９】
なお、或る看護師のＰＨＳ端末１２０ａから別の看護師のＰＨＳ端末１２０ｂを呼び出した以降において、呼び出されたＰＨＳ端末１２０ｂが使用中の状態や電源ＯＦＦの状態の場合であって、ＰＨＳ端末１２０ｂから応答することができなくて、発信したＰＨＳ端末１２０ａが復旧した場合、あるいは、呼び出されたＰＨＳ端末１２０ｂが空き状態の場合であっても、呼び出されたＰＨＳ端末１２０ｂが応答する前に、発信したＰＨＳ端末１２０ａが復旧した場合には、内線途中放棄としてその履歴情報をナースコール発着信ＤＢ１５０ａに蓄積して、ＰＨＳ端末１２０の内線途中放棄に関する履歴情報をＳＭＤＲ情報としてログ管理装置１６０に対して出力する。
【００６０】
（ログ管理装置１６０における動作）
次に、ＰＢＸ１５０から転送されてきたナースコール用の発着信呼に関する履歴情報を受け取ったログ管理装置１６０における動作についてその一例を説明する。ログ管理装置１６０においては、ＰＢＸ１５０からＳＭＤＲ情報として転送されてきたナースコール用の発着信呼（ナースコール着信呼、ナースコール発信呼、内線通話呼）に関する履歴情報を受け取ると、ナースコール用の発着信呼に関する履歴情報を解析して、解析した結果を画面表示やプリントアウトして、管理者に対して通知する動作を行う。本実施形態においては、ログ管理装置１６０における解析結果として、少なくとも、次の２つの情報を生成して出力する。
【００６１】
（Ａ）呼び出し履歴情報
患者がナースコール子機１１０を使用して看護師が携行する看護師用端末１２０例えばＰＨＳ端末１２０を呼び出す呼（ナースコール着信呼）、看護師が看護師用端末１２０例えばＰＨＳ端末１２０を使用して患者のナースコール子機１１０を呼び出す呼（ナースコール発信呼）、および、看護師同士が看護師用端末１２０例えばＰＨＳ端末１２０を使用して連絡を取り合う内線通話呼、のそれぞれの履歴情報を解析して、看護師ごと、患者ごとに、時系列的に編集した呼び出し履歴情報を生成して、ログ管理装置１６０の表示部に一覧表示するか、または、ログ管理装置１６０の印刷部からプリントアウトする。該呼び出し履歴情報には、患者と看護師との間の呼び出し履歴情報や通話履歴情報のみならず、看護師同士の間の内線通話履歴を示す看護師間通話履歴情報も含まれている。
（Ｂ）呼び出し統計情報
呼び出し履歴情報を基にして、看護師ごと、患者ごとに、発着信呼の呼種別の単位時間当たりの発生頻度、ナースコール呼び出しに対する着信応答呼、着信不応答呼の単位時間当たりの発生頻度、ナースコール呼び出しに対するナースコール親機１３０による応答の単位時間当たりの発生頻度、平均／最大／最小通話時間、ナースコール呼び出しから応答までの平均／最大／最小時間等の各種の統計情報を生成して、ログ管理装置１６０の表示部に一覧表示するか、または、ログ管理装置１６０の印刷部からプリントアウトする。該呼び出し統計情報には、患者と看護師との間の呼び出し統計情報や通話統計情報のみならず、看護師同士の間の内線通話における看護師間呼び出し統計情報や看護師間通話統計情報も含まれている。
【００６２】
以上の実施形態の説明においては、各看護師が携行する看護師用端末として、ＰＨＳ端末１２０を用いる場合について説明したが、本発明は、かかる場合のみに限るものではない。例えば、携帯電話機、スマートフォン、ＰＤＡ（Personal  Digital  Assistants）、携帯型ノートＰＣ（Personal  Computer）であっても構わない。また、ＰＢＸ１５０は、前述したように、ＩＰプロトコルに準拠した通話制御を行うことが可能なコミュニケーションサーバを用いて構成しても良いが、通常の回線交換ベースのＰＢＸとして構成しても勿論差し支えない。
【００６３】
（実施形態の効果の説明）
以上に詳細に説明したように、本実施形態においては、次のような効果が得られる。すなわち、ナースコールシステムを設置した病院等の医療機関の管理者が、ログ管理装置１６０から出力されてくる呼び出し履歴情報や呼び出し統計情報を参照することによって、少なくとも、
（１）各看護師が携行する看護師用端末例えばＰＨＳ端末１２０に着信する単位時間当たりの呼び出し頻度
（２）各患者が使用するナースコール子機１１０からの単位時間当たりの呼び出し発生頻度
（３）各患者からのナースコール呼び出しに対する看護師の応答状況
を把握することができるようになるので、看護師ごとの業務集中度を踏まえて、患者ごとの看護師の割り当て等を検討する際の有効な情報を取得することができ、病院等の医療機関におけるサービス性のより一層の向上を図ることができる。
【００６４】
つまり、本実施形態においては、ナースコール子機１１０から１ないし複数のＰＨＳ端末１２０を呼び出した時に、応答したＰＨＳ端末１２０に対する着信呼の情報は、「着信応答呼」として出力し、応答しなかったＰＨＳ端末１２０に対する着信呼の情報は、「着信不応答呼」として出力するとともに、逆に、ＰＨＳ端末１２０からナースコール子機１１０を呼び出した時に、ナースコール子機１１０が応答した場合には、「発信応答呼」として出力して、ナースコールシステムの管理者に通知する仕組みを備えている。
【００６５】
したがって、各看護師が携行するＰＨＳ端末１２０の呼び出し状況や使用状況をより詳細に把握することができ、ナースコール子機１１０からのナースコール呼び出しに応答しなかった場合の状況の分析、対策等をより確実に実施することができる。また、ＰＨＳ端末１２０から患者のナースコール子機１１０への呼び出し状況を把握することにより、患者が薬を飲むべき時間や検査時間等について、適切なタイミングで患者に対して呼び掛けることができているか否か等を確認することができる。
【００６６】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００６７】
１１０      ナースコール子機
１１０ａ    ナースコール子機
１１０ｂ    ナースコール子機
１２０      看護師用端末（ＰＨＳ端末）
１２０ａ    看護師用端末（ＰＨＳ端末）
１２０ｂ    看護師用端末（ＰＨＳ端末）
１２０ｃ    看護師用端末（ＰＨＳ端末）
１３０      ナースコール親機
１４０      ナースコール主装置
１５０      ＰＢＸ（Private  Branch  Exchange）
１５０ａ    ナースコール発着信ＤＢ
１６０      ログ管理装置
【要約】
【課題】患者のナースコール子機からの看護師の看護師用端末に対する呼び出し履歴および看護師の看護師用端末からの患者のナースコール子機に対する呼び出し履歴を収集することが可能なナースコールシステムを提供する。
【解決手段】入院中の患者のナースコール子機１１０と看護師それぞれが携行する看護師用端末１２０との間の呼び出し等の制御を行うためのナースコール主装置１４０とＰＢＸ１５０とを有するナースコールシステムであって、ＰＢＸ１５０は、ナースコール発着信ＤＢ１５０ａを備え、ナースコール子機１１０から看護師用端末１２０に対する呼び出しに関する呼の履歴情報を看護師用端末１２０へのナースコール着信呼の履歴情報として蓄積し、かつ、看護師用端末１２０からナースコール子機１１０に対する呼び出しに関する呼の履歴情報を看護師用端末１２０からのナースコール発信呼の履歴情報として蓄積する。
【選択図】        図１【図１】
0005429916.tif 000006
【図３】
0005429916.tif 000007
【図４】
0005429916.tif 000008
【図２】
0005429916.tif 000009